(57)【特許請求の範囲】
【請求項１】
三層構造からなる靴用中敷であって、
表面層の表面層部材が靴内部輪郭に対応した形状の天然皮革、人工皮革或いは布材であり、
下面層の下面層部材が比較的硬度のある弾性体であり、
中間層の中間層部材が踵骨から中足骨頭までの足の輪郭に対応した緩衝材であり、
前記中間層部材は、
踏みつけ部の中央部に足裏の土踏まずの形状に合わせた厚みが形成され、
前記下面層部材は、
第５中足骨部の第１の領域と第１中足骨を含む土踏まず部の第２の領域とこの第２の領域と踵部までの間の第３の領域と踵部を除くこの踵部の周囲に対応した第４の領域とを有する形状にされた比較的硬度のある弾性体であり、
前記表面層部材と前記中間層部材と前記下面層部材とが重ね合わせられて一体化されてなることを特徴とする靴用中敷き。
【請求項２】
前記中間層部材は、つま先部がなく他は表面層部材と同じ輪郭の形状をなすことを特徴とする請求項１記載の靴用中敷き。
【請求項３】
前記中間層がゲル状化されていることを特徴とする請求項１または２記載の靴用中敷き。
【請求項４】
前記踵部の周囲は、外周部を備え、この外周部は立ち上げられていることを特徴とする請求項１、２又は３記載の靴用中敷き。
【請求項５】
表面層の表面層部材が靴内部輪郭に対応した形状の天然皮革、人工皮革或いは布材であり、
下面層の下面層部材が比較的硬度のある弾性体であり、
中間層の中間層部材が踵骨から中足骨頭までの足の輪郭に対応した緩衝材であり、
前記中間層部材は、
踏みつけ部の中央部に足裏の土踏まずの形状に合わせた厚みが形成され、
前記下面層部材は、
第５中足骨部の第１の領域と第１中足骨を含む土踏まず部の第２の領域とこの第２の領域と踵部までの間の第３の領域と踵部を除くこの踵部の周囲に対応した第４の領域とを有する形状にされた比較的硬度のある弾性体であり、
前記中間層部材が重なる下面層部材の表面側にホットメルトを塗布する工程と、
前記ホットメルトが塗布された下面層部材の表面に前記中間層部材を重ね合わせて所定の温度にして金型で熱圧着する工程と、
前記表面層部材の裏面にホットメルトを塗布する工程と、
前記熱圧着後の中間層部材の表側に前記ホットメルトが塗布された表面層部材の裏面を重ね合わせて所定の温度にして金型で熱圧着する工程と
を行なって一体成形することを特徴とする靴用中敷きの製造方法。」
【発明の詳細な説明】
【０００１】
【発明の属する技術分野】
この発明は、靴の中底に入れて使用される靴用中敷きおよびその製造方法に関する。
【０００２】
【従来の技術】
従来、足の骨格を理想の形に近づけるためには、さまざまな形状をした弾性体パッドを足裏の各主要部位に見付け出し、各々粘着材や接着剤を使って靴の中に（中敷きの上乃至下）貼っていた。
【０００３】
【発明が解決しようとする課題】
ところで、上述した方法は、接着位置やパッドの大きさが変えられるメリットがある反面、接着位置を見付け出すのが難しかったり、接着部位や大きさを大きく間違えてしまうと身体に悪い影響を与えてしまうということがあった。また、接着に手間がかかりったり他の靴への兼用性に問題があった。
【０００４】
この発明は上述の課題を解決するためになされたもので、その目的は、足の骨格が崩れることによる弊害（例えば外反母趾等）を、アーチを的確にサポートすることで理想的な骨格を形成させ各症状の予防、緩和を基本目的とし一体型の中敷きにすることにより装着の手間をかけないようにすると同時に他の靴にも簡単に兼用できるようにした靴用中敷きおよびその製造方法を提供することにある。
【０００５】
【課題を解決するための手段】
上記目的を達成するために請求項１によるこの発明の靴用中敷きは、
三層構造からなる靴用中敷であって、
表面層の表面層部材が靴内部輪郭に対応した形状の天然皮革、人工皮革或いは布材であり、
下面層の下面層部材が比較的硬度のある弾性体であり、
中間層の中間層部材が踵骨から中足骨頭までの足の輪郭に対応した緩衝材であり、
前記中間層部材は、
踏みつけ部の中央部に足裏の土踏まずの形状に合わせた厚みが形成され、
前記下面層部材は、
第５中足骨部の第１の領域と第１中足骨を含む土踏まず部の第２の領域とこの第２の領域と踵部までの間の第３の領域と踵部を除くこの踵部の周囲に対応した第４の領域とを有する形状にされた比較的硬度のある弾性体であり、
前記表面層部材と前記中間層部材と前記下面層部材とが重ね合わせられて一体化されてなることを要旨とする。
【０００６】
したがって、靴用中敷きは、三層構造からなり、表面層が靴内部輪郭に対応した形状の天然皮革、人工皮革或いは布材で、下面層が足裏の骨格形状のアーチと踵骨円周部形状に対応した比較的硬度のある弾性体で、中間層が踵骨から中足骨頭までの足の輪郭に対応した緩衝材で構成されているから、足の骨格が崩れることによる弊害（例えば外反母趾等）を、アーチを的確にサポートすることで理想的な骨格を形成させ各症状の予防、緩和を基本目的とし一体型の中敷きにすることにより装着の手間をかけないようにすると同時に他の靴にも簡単に兼用できる。
【０００７】
請求項２によるこの発明の靴用中敷きは、請求項１記載の靴用中敷きにおいて、前記中間層部材は、つま先部がなく他は表面層部材と同じ輪郭の形状をなすことを要旨とする。
【０００８】
したがって、前記中間層が表面層と同等の輪郭形状をなしているから、足の骨格が崩れることによる弊害がより一層なくなる。
【０００９】
請求項３によるこの発明の靴用中敷きは、請求項１または２記載の靴用中敷きにおいて、前記中間層がゲル状化されていることを要旨とするものである。
【００１０】
したかって、前記中間層がゲル状化されているから、アーチが的確にサポートされる。
また、請求項４は、前記踵部の周囲は、外周部を備え、この外周部は立ち上げられていることを要旨とする。
【００１１】
請求項５によるこの発明の靴用中敷きの製造方法は、表面層の表面層部材が靴内部輪郭に対応した形状の天然皮革、人工皮革或いは布材であり、
下面層の下面層部材が比較的硬度のある弾性体であり、
中間層の中間層部材が踵骨から中足骨頭までの足の輪郭に対応した緩衝材であり、
前記中間層部材は、
踏みつけ部の中央部に足裏の土踏まずの形状に合わせた厚みが形成され、
前記下面層部材は、
第５中足骨部の第１の領域と第１中足骨を含む土踏まず部の第２の領域とこの第２の領域と踵部までの間の第３の領域と踵部を除くこの踵部の周囲に対応した第４の領域とを有する形状にされた比較的硬度のある弾性体であり、
前記中間層部材が重なる下面層部材の表面側にホットメルトを塗布する工程と、
前記ホットメルトが塗布された下面層部材の表面に前記中間層部材を重ね合わせて所定の温度にして金型で熱圧着する工程と、
前記表面層部材の裏面にホットメルトを塗布する工程と、
前記熱圧着後の中間層部材の表側に前記ホットメルトが塗布された表面層部材の裏面を重ね合わせて所定の温度にして金型で熱圧着する工程と
を行なって一体成形することを要旨とする。
【００１２】
したがって、前記表面層、中間層および下面層は接着剤を使用することにより、加熱した金型で一体成形されると同時に接着されるから、従来と比べて簡単に製造でき、しかも、後から調整する必要がない。
【００１３】
したがって、中間層および下面層は接着剤を使用することにより、加熱した金型で一体成形されると同時に接着された後、
【００１４】
表面層が接着されるから、従来と比べて簡単に製造でき、しかも、後から調整する必要がない。
【００１５】
したがって、下面層が加熱した金型で成形した後、
【００１６】
中間層、表面層が接着されるから、従来と比べて簡単に製造でき、しかも、後から調整する必要がない。
【００１７】
【発明の実施の形態】
以下、この発明の実施の形態について図面を参照して詳細に説明する。
【００１８】
まず、図６を参照して、足の構造について説明する。図６に示されているように、足は、片足７個の踵骨、距骨、立方骨、舟状骨、第１・第２・第３楔状骨の体重を支える足根骨と、５個の第１〜第５中足、そして、１４個の趾骨の合計２６個の骨を骨格に、多数の腱と筋肉で構成されている。
【００１９】
また、図７に示されているように、足には大切な３つのアーチががあり、１つは図７（Ａ）に示すごとく、距骨、土踏まずの大きな内側縦アーチ、２つめは、図７（Ｂ）に示すごとく、中足骨部の横アーチ、３つめは、図７（Ｃ）に示すごとく、踵外側の少し手前にある小さな外側縦アーチがあり、これらのアーチによって歩行時の衝撃を吸収しているため、これらのアーチにより変化を来した場合、足や脚、さらには体全体にも障害が生じるがある。
【００２０】
図１はこの発明の靴用中敷きの平面図、図２は図１における底面図、図３は、図１における側面図、図４は図１におけるIV−IV線に沿った断面図、図５は靴用中敷きを構成する表面層、中間層および下面層に分解した底面図である。
【００２１】
図１〜図５において、靴用中敷き１は、足裏の形状にほぼ対応した形状の例えば天然皮革、人工皮革或いは熱可塑性繊維の布材からなる表面層３と、この表面層３の裏側に踵骨から中足骨頭までの足の輪郭に対応した緩衝材例えばスポンジからなる熱可塑性樹脂シートの中間層５と、足裏の骨格形状のアーチ（踵骨、舟状骨、第１楔状骨、第１中足骨からなる内足アーチ、踵骨、立方骨、第５中足骨からなる外骨アーチ、第１中足骨から第５中足骨からなる中足アーチ）と踵骨円周部形状に対応した比較的硬度のある弾性体例えばウレタンフォームからなる熱可塑性樹脂シートの下面層７と、が一体成形されて構成されている。すなわち、靴用中敷き１は、表面層３と中間層５と下面層７との３層構造となっている。
【００２２】
図１および図４において、中間層５の中央部５Ａである踏みつけ部Ａの中央部は厚みがあって、足裏の土踏まずの形状に合わせた形状となっている。図１において踵の中央部Ｂの外側の外周部分すなわち、Ｕ字形状部分９は上方へ立ち上がっており、足の踵部が滑るのを防止している。
図３は図２の矢印方向の側面図であり、図４は図２のIII−IIIの断面図である。
【００２３】
前記中間層５を構成している緩衝材としての例えばスポンジからなる熱可塑性樹脂シートの硬さが下面層７を構成している例えばスポンジからなる熱可塑性樹脂シートの硬さより柔らかくなっている。
【００２４】
上記構成により、図２に示されているように、足裏の３つのアーチ１１Ａ、１１Ｂ、１１Ｃを的確にサポートでき、靴がきつくならず、しかも、やさしく保護をし、衝撃をソフトに吸収することができる。その結果、薄くて感触の優しい中敷きとなり、パンプス、ブーツに入れても指を圧迫しない。外反母趾、扁平足などの症状を緩和することができる。
前記表面層３が人工皮革から構成されていると共に、中間層５および下面層７がそれぞれ例えばスポンジからなる熱可塑性樹脂シートから構成されているから、簡単に製作でき、踏みつけ部の衝撃、踵に集中しがちな衝撃をソフトに吸収することができる。また、前記表面層３が例えばナイロン、ポリエステルからなる熱可塑性繊維で、しかも、織布、ニット、不織布の布地で、前記中間層５よび下面層７がそれぞれ例えばスポンジからなる熱可塑性樹脂シートから構成されているから、踵に集中しがちな衝撃をソフトに吸収し、足裏部の感触がよく、しかも、丈夫である。
【００２５】
前記中間層５を構成している熱可塑性樹脂シートの硬さが下面層７を構成している熱可塑性樹脂シートの硬さより柔らかくなっているから、特に、タコ、魚の目、角質、痛みなどの症状を緩和することができると共に踵の痛みも緩和することができる。
【００２６】
したがって、足の骨格が崩れることによる弊害（例えば外反母趾等）を、アーチを的確にサポートすることで理想的な骨格を形成させ各症状の予防、緩和を基本目的とし一体型の中敷きにすることにより装着の手間をかけないようにすると同時に他の靴にも簡単に兼用できる。また、前記中間層５がゲル状化されているから、アーチ１１Ａ、１１Ｂ、１１Ｃを的確にサポートすることができる。
【００２７】
靴用中敷きの製造方法について説明すると、足裏の骨格形状のアーチ（踵骨、舟状骨、第１楔状骨、第１中足骨からなる内足アーチ、踵骨、立方骨、第５中足骨からなる外骨アーチ、第１中足骨から第５中足骨からなる中足アーチ）と踵骨円周部形状に対応した比較的硬度のある弾性体例えばウレタンフォームからなる熱可塑性樹脂シートの下面層７の表に、接着剤であるホットメルトを塗布する。
この塗布されたホットメルトの面に、踵骨から中足骨頭までの足の輪郭に対応した緩衝材例えばスポンジからなる熱可塑性樹脂シートの中間層５の裏を重ね合わせて例えば１８０〜２２０℃好ましくは２００℃の温度の加熱条件下で金型により熱プレスを行う。その後、足裏の形状にほぼ対応した形状の例えば天然皮革、人工皮革或いは熱可塑性繊維の布材からなる表面層３の裏に、接着剤であるホットメルトを塗布する。この塗布されたホットメルトの面に、前記中間層５の表を重ね合わせて例えば６０〜９０℃好ましくは８０℃の温度の加熱条件下で金型により熱プレスを行う。
【００２８】
その結果、良好な靴用中敷きが、従来と比べて簡単に製造でき、しかも、後から調整する必要がない。
【００２９】
また、この発明の靴用中敷きの別の製造方法を説明すると、足裏の骨格形状のアーチ（踵骨、舟状骨、第１楔状骨、第１中足骨からなる内足アーチ、踵骨、立方骨、第５中足骨からなる外骨アーチ、第１中足骨から第５中足骨からなる中足アーチ）と踵骨円周部形状に対応した比較的硬度のある弾性体例えばウレタンフォームからなる熱可塑性樹脂シートの下面層７の表に、接着剤であるホットメルトを塗布する。この塗布されたホットメルトの面に、踵骨から中足骨頭までの足の輪郭に対応した緩衝材例えばスポンジからなる熱可塑性樹脂シートの中間層５の裏を重ね合わせて例えば１８０〜２２０℃好ましくは２００℃の温度の加熱条件下で金型により熱プレスを行う。その後、足裏の形状にほぼ対応した形状の例えば天然皮革、人工皮革或いは熱可塑性繊維の布材からなる表面層３の裏に、接着剤であるホットメルトを塗布する。この塗布されたホットメルトの面に、前記踵骨から中足骨頭までの足の輪郭に対応した緩衝材例えばスポンジからなる熱可塑性樹脂シートの中間層５の表をを重ね合わせて例えば１８０〜２２０℃好ましくは２００℃の温度の加熱条件下で金型により熱プレスを行う。
【００３０】
その結果、良好な靴用中敷きが、従来と比べて簡単に製造でき、しかも、後から調整する必要がない。
【００３１】
したがって、前記中間層が表面層と同等の輪郭形状をなしているから、足の骨格が崩れることによる弊害がより一層なくなる。
【００３２】
また、前記表面層３、中間層５および下面層７が接着剤で加熱した金型で一体成形されると同時に接着するようにしたも構わない、さらに、されるから、従来と比べて簡単に製造でき、しかも、後から調整する必要がない。さらに、中間層５および下面層７が接着剤で加熱した金型で一体成形されると同時に接着された後、表面層３が接着されるようにしても構わない。これらの場合でも、上述した製造方法と同様の効果を有するものである。
【００３３】
なお、この発明は前述した実施の形態に限定されることなく、適宜な変更を行うことによりその他の態様で実施し得るものである。
【００３４】
【発明の効果】
以上のごとき発明の実施の形態の説明から理解されるように、請求項１の発明によれば、足の骨格が崩れることによる弊害（例えば外反母趾等）を、アーチを的確にサポートすることで理想的な骨格を形成させ各症状の予防、緩和を基本目的とし一体型の中敷きにすることにより装着の手間をかけないようにすると同時に他の靴にも簡単に兼用できる。
【００３５】
請求項２の発明によれば、足の骨格が崩れることによる弊害がより一層なくなる。
【００３６】
請求項３の発明によれば、前記中間層がゲル状化されているから、アーチが的確にサポートされる。
【００３７】
請求項５の発明によれば、前記表面層、中間層および下面層は接着剤を使用することにより、加熱した金型で一体成形されると同時に接着されるから、従来と比べて簡単に製造でき、しかも、後から調整する必要がない。
【００３８】
また、加熱した金型で一体成形されると同時に接着された後、表面層が接着されるから、従来と比べて簡単に製造でき、しかも、後から調整する必要がない。
【００３９】
また、下面層が加熱した金型で成形した後、中間層、表面層が接着されるから、従来と比べて簡単に製造でき、しかも、後から調整する必要がない。
【図面の簡単な説明】
【図１】  この発明の靴用中敷きの平面図である。
【図２】  図１における底面図である。
【図３】  図１における側面図である。
【図４】    図１におけるIV−IV線に沿った断面図である。
【図５】  靴用中敷きを構成する表シート、中シートおよび裏シートに分解した底面図である。
【図６】  足の構造を説明する説明図である。
【図７】  （Ａ）、（Ｂ）、（Ｃ）は、それぞれ足の内側縦アーチ、横アーチ、外側縦アーチの構造を説明する説明図である。
【符号の説明】
１  靴用中敷き
３  表面層
５  中間層
７  下面層
９  外周部分
１１Ａ、１１Ｂ、１１Ｃ  アーチ
Ａ  踏みつけ部
Ｂ  踵の中央部
【図１】
0004002109.tif 000002
【図２】
0004002109.tif 000003
【図３】
0004002109.tif 000004
【図４】
0004002109.tif 000005
【図５】
0004002109.tif 000006
【図６】
0004002109.tif 000007
【図７】
0004002109.tif 000008